(57)【要約】【課題】  正常接続を確実に判定することができる暖房装置を提供する。【解決手段】  試運転として、燃焼式熱源機４１による温液の加熱は行わず、高温端末開閉弁５ＨＶを開弁状態、低温暖房流路開閉弁４２ＬＶを開弁状態とし、暖房循環ポンプ５１をオンする。温度センサ５ＨＳ及び温度センサ２７の検出温度が５０°Ｃ未満である場合、各検出温度をメモリに記憶し、温液を８０°Ｃに加熱するように燃焼式熱源機４１を駆動し、低温暖房流路開閉弁４２ＬＶを閉弁状態とする。温度センサ５ＨＳの検出温度が暖房燃焼開始前端末記憶温度に１０°Ｃ加算した温度以上であり、温度センサ２７の検出温度が暖房燃焼開始前戻り記憶温度に５°Ｃ加算した温度未満である場合、高温側暖房用温液流路４２Ｈ及び高温暖房用温液循環復路１３ｂ１が高温側暖房端末機５Ｈに接続されている正常接続状態であると判定し、その旨をリモコンに表示させる。【選択図】  図２
2018004112.tif 000002
【特許請求の範囲】
【請求項１】
熱媒を加熱する補助熱源と、
熱媒を加熱するヒートポンプと、
前記ヒートポンプで加熱された熱媒を前記補助熱源に流通させる補助熱源流路と、
前記補助熱源により加熱された熱媒を高温暖房端末に流通させる高温端末入口流路と、
前記補助熱源により加熱された熱媒を低温暖房端末に流通させる低温端末入口流路と、
前記高温暖房端末からの熱媒を前記補助熱源流路に流通させる高温端末出口流路と、
前記低温暖房端末からの熱媒を前記ヒートポンプに流通させる低温端末出口流路と、
前記低温端末入口流路の開閉を行う低温暖房流路開閉弁と、
前記高温暖房端末に設けられ、前記高温端末入口流路から前記高温暖房端末への熱媒の流入を制御する高温端末開閉弁と、
前記高温暖房端末内の熱媒の温度を検出する高温端末温度検出手段と、
前記低温暖房端末内の熱媒の温度を検出する低温端末温度検出手段と、
前記低温端末出口流路内の熱媒の温度を検出する低温出口流路温度検出手段と、
前記高温端末開閉弁を開弁状態にし、前記低温暖房流路開閉弁を閉弁状態にし、前記補助熱源を駆動して熱媒を加熱した際に、前記高温端末温度検出手段による検出温度が前記補助熱源による熱媒の加熱前よりも第１所定温度以上上昇し、且つ、前記低温出口流路温度検出手段による検出温度が前記補助熱源による熱媒の加熱前よりも第２所定温度以上上昇していない場合に、前記高温端末入口流路及び前記高温端末出口流路が前記高温暖房端末に接続された正常接続状態であると判定し、報知する正常接続判定手段と、
を備えることを特徴とする暖房装置。
【請求項２】
請求項１に記載の暖房装置において、
前記正常接続判定手段は、前記高温端末開閉弁を閉弁状態にし、前記低温暖房流路開閉弁を開弁状態にし、前記補助熱源を駆動して熱媒を加熱した際に、前記低温端末温度検出手段による検出温度が前記補助熱源による熱媒の加熱前よりも第３所定温度以上上昇し、且つ、前記低温出口流路温度検出手段による検出温度が前記補助熱源による熱媒の加熱前よりも第４所定温度以上上昇した場合に、前記低温端末出口流路が前記低温暖房端末に接続された正常接続状態であると判定し、報知することを特徴とする暖房装置。
【請求項３】
請求項１又は２に記載の暖房装置において、
前記正常接続判定手段は、前記高温端末開閉弁を開弁状態にし、前記低温暖房流路開閉弁を閉弁状態にし、前記補助熱源を駆動して熱媒を加熱した際に、前記低温端末温度検出手段による検出温度が前記補助熱源による熱媒の加熱前よりも第５所定温度以上上昇していない場合に、前記低温端末入口流路が前記低温暖房端末に接続された正常接続状態であると判定し、報知することを特徴とする暖房装置。
【請求項４】
熱媒を加熱する補助熱源と、
熱媒を前記補助熱源に流通させる補助熱源流路と、
前記補助熱源により加熱された熱媒を高温暖房端末に流通させる高温端末入口流路と、
前記補助熱源により加熱された熱媒を低温暖房端末に流通させる低温端末入口流路と、
前記高温暖房端末からの熱媒を前記補助熱源流路に流通させる高温端末出口流路と、
前記低温暖房端末からの熱媒を前記補助熱源流路に流通させる低温端末出口流路と、
前記低温端末入口流路の開閉を行う低温暖房流路開閉弁と、
前記高温暖房端末に設けられ、前記高温端末入口流路から前記高温暖房端末への熱媒の流入を制御する高温端末開閉弁と、
前記高温暖房端末内の熱媒の温度を検出する高温端末温度検出手段と、
前記高温端末開閉弁を開弁状態にし、前記低温暖房流路開閉弁を閉弁状態にし、前記補助熱源を駆動して熱媒を加熱した際に、前記高温端末温度検出手段による検出温度が前記補助熱源による熱媒の加熱前よりも第６所定温度以上上昇した場合に、前記高温端末入口流路が前記高温暖房端末に接続された正常接続状態であると判定し、報知する正常接続判定手段と、
を備えることを特徴とする暖房装置。
【発明の詳細な説明】
【技術分野】
【０００１】
本発明は、温水等の熱媒を用いて暖房を行う暖房装置に関する。
【背景技術】
【０００２】
温水等の熱媒を用いた暖房装置において、熱源機により加熱した温水を床暖房装置等の暖房端末を経由して循環させて、温水の熱を床暖房装置で放熱させることで暖房を行う構成が知られている。このような暖房装置は、暖房端末に配管が正しく接続されているか否かを判定する技術が提案されている（例えば、特許文献１）。
【０００３】
特許文献１に記載された浴室暖房装置における誤配管検知システムは、暖房端末としての浴室暖房器と、熱源機としての給湯装置とを、温水往き配管及び温水戻り配管を介して接続し、温水往き配管内の温度を温度センサで検出し、浴室暖房器が熱交換を開始する前の温度センサでの第１の温度と、熱交換を開始した後の温度センサでの第２の温度との差が予め定めた閾値を超えていないかどうかを判断し、この判断結果に基づいて配管が誤接続されているか否かを検出している。
【先行技術文献】
【特許文献】
【０００４】
【特許文献１】特開２０１１−１０６７３５号公報
【発明の概要】
【発明が解決しようとする課題】
【０００５】
暖房端末として高温暖房端末及び低温暖房端末が設けられ、ヒートポンプの能力が低くヒートポンプでの加熱温度が比較的低い暖房装置では、低温暖房端末のみヒートポンプの加熱を利用するため、温水往き配管及び温水戻り配管も、高温用及び低温用の２種類が設けられる。この場合、高温用温水往き配管及び高温用温水戻り配管と、低温用温水往き配管及び低温用温水戻り配管とが設けられる。
【０００６】
このような暖房装置では、配管の誤接続として様々なパターンがある。例えば、高温暖房端末に低温用温水往き配管及び高温用温水戻り配管が接続されたパターンや、高温暖房端末に低温用温水往き配管及び低温用温水戻り配管が接続されたパターン等があり、特許文献１のような接続判定では、全てのパターンの誤接続を検出することができない。
【０００７】
本発明は、このような事情に鑑みてなされたものであり、高温暖房端末及び低温暖房端末が設けられた場合でも、正常接続を確実に判定することができる暖房装置を提供することを目的とする。
【課題を解決するための手段】
【０００８】
本発明の暖房装置は、熱媒を加熱する補助熱源と、熱媒を加熱するヒートポンプと、前記ヒートポンプで加熱された熱媒を前記補助熱源に流通させる補助熱源流路と、前記補助熱源により加熱された熱媒を高温暖房端末に流通させる高温端末入口流路と、前記補助熱源により加熱された熱媒を低温暖房端末に流通させる低温端末入口流路と、前記高温暖房端末からの熱媒を前記補助熱源流路に流通させる高温端末出口流路と、前記低温暖房端末からの熱媒を前記ヒートポンプに流通させる低温端末出口流路と、前記低温端末入口流路の開閉を行う低温暖房流路開閉弁と、前記高温暖房端末に設けられ、前記高温端末入口流路から前記高温暖房端末への熱媒の流入を制御する高温端末開閉弁と、前記高温暖房端末内の熱媒の温度を検出する高温端末温度検出手段と、前記低温暖房端末内の熱媒の温度を検出する低温端末温度検出手段と、前記低温端末出口流路内の熱媒の温度を検出する低温出口流路温度検出手段と、前記高温端末開閉弁を開弁状態にし、前記低温暖房流路開閉弁を閉弁状態にし、前記補助熱源を駆動して熱媒を加熱した際に、前記高温端末温度検出手段による検出温度が前記補助熱源による熱媒の加熱前よりも第１所定温度以上上昇し、且つ、前記低温出口流路温度検出手段による検出温度が前記補助熱源による熱媒の加熱前よりも第２所定温度以上上昇していない場合に、前記高温端末入口流路及び前記高温端末出口流路が前記高温暖房端末に接続された正常接続状態であると判定し、報知する正常接続判定手段と、を備えることを特徴とする。
【０００９】
本発明によれば、高温端末開閉弁を開弁状態にし、低温暖房流路開閉弁を閉弁状態にし、補助熱源を駆動して熱媒を加熱した際に、高温端末入口流路及び高温端末出口流路が高温暖房端末に接続された正常接続状態であれば、補助熱源機により熱媒が加熱（例えば、８０°Ｃ）された場合、８０°Ｃの熱媒は、高温暖房端末には流れ、低温暖房端末には流れない。したがって、高温端末温度検出手段による検出温度（８０°Ｃ）は、熱媒の加熱前（例えば、５０°Ｃ）より上昇し、且つ、低温出口流路温度検出手段による検出温度（例えば、５０°Ｃ）は、熱媒の加熱前（５０°Ｃ）と変化がない。この点に着目して、上記制御を行った際に、正常接続判定手段は、高温端末温度検出手段による検出温度（８０°Ｃ）が、熱媒の加熱前（５０°Ｃ）よりも第１所定温度（例えば、１０°Ｃ）以上上昇し、且つ、低温出口流路温度検出手段による検出温度（５０°Ｃ）が、熱媒の加熱前（５０°Ｃ）よりも第２所定温度（例えば、５°Ｃ）以上上昇していない場合に、高温端末入口流路及び高温端末出口流路が高温暖房端末に接続された正常接続状態であると判定し、報知するので、高温端末入口流路及び高温端末出口流路と高温暖房端末との正常接続を確実に判定し、報知することができる。
【００１０】
また、前記正常接続判定手段は、前記高温端末開閉弁を閉弁状態にし、前記低温暖房流路開閉弁を開弁状態にし、前記補助熱源を駆動して熱媒を加熱した際に、前記低温端末温度検出手段による検出温度が前記補助熱源による熱媒の加熱前よりも第３所定温度以上上昇し、且つ、前記低温出口流路温度検出手段による検出温度が前記補助熱源による熱媒の加熱前よりも第４所定温度以上上昇した場合に、前記低温端末出口流路が前記低温暖房端末に接続された正常接続状態であると判定し、報知することが好ましい。
【００１１】
この構成によれば、高温端末開閉弁を閉弁状態にし、低温暖房流路開閉弁を開弁状態にし、補助熱源を駆動して熱媒を加熱（例えば、８０°Ｃ）した際に、低温端末出口流路が低温暖房端末に接続された正常接続状態であれば、低温暖房端末には例えば８０°Ｃの熱媒が流れ、低温暖房端末で放熱されたとしても低温端末出口流路には例えば６５°Ｃ程度の熱媒が流れる。この点に着目して、上記制御を行った際に、正常接続判定手段は、低温端末温度検出手段による検出温度（例えば、８０°Ｃ）が熱媒の加熱前（例えば、５０°Ｃ）よりも第３所定温度（例えば、１０°Ｃ）以上上昇し、且つ、低温出口流路温度検出手段による検出温度（例えば、６５°Ｃ）が熱媒の加熱前（例えば、５０°Ｃ）よりも第４所定温度（例えば、１０°Ｃ）以上上昇した場合に、低温端末出口流路が低温暖房端末に接続された正常接続状態であると判定し、報知するので、低温端末出口流路と低温暖房端末との正常接続を確実に判定し、報知することができる。
【００１２】
さらに、前記正常接続判定手段は、前記高温端末開閉弁を開弁状態にし、前記低温暖房流路開閉弁を閉弁状態にし、前記補助熱源を駆動して熱媒を加熱した際に、前記低温端末温度検出手段による検出温度が前記補助熱源による熱媒の加熱前よりも第５所定温度以上上昇していない場合に、前記低温端末入口流路が前記低温暖房端末に接続された正常接続状態であると判定し、報知することが好ましい。
【００１３】
この構成によれば、高温端末開閉弁を開弁状態にし、低温暖房流路開閉弁を閉弁状態にし、補助熱源を駆動して熱媒を加熱（例えば、８０°Ｃ）した際に、低温端末入口流路が低温暖房端末に接続された正常接続状態であれば、低温暖房端末には例えば８０°Ｃの熱媒は流れない。この点に着目して、上記制御を行った際に、正常接続判定手段は、低温端末温度検出手段による検出温度（例えば、５０°Ｃ）が熱媒の加熱前（例えば、５０°Ｃ）よりも第５所定温度（例えば、１０°Ｃ）以上上昇していない場合に、低温端末入口流路が低温暖房端末に接続された正常接続状態であると判定し、報知するので、低温端末入口流路と低温暖房端末との正常接続を確実に判定し、報知することができる。
【００１４】
本発明の暖房装置は、熱媒を前記補助熱源に流通させる補助熱源流路と、前記補助熱源により加熱された熱媒を高温暖房端末に流通させる高温端末入口流路と、前記補助熱源により加熱された熱媒を低温暖房端末に流通させる低温端末入口流路と、前記高温暖房端末からの熱媒を前記補助熱源流路に流通させる高温端末出口流路と、前記低温暖房端末からの熱媒を前記補助熱源流路に流通させる低温端末出口流路と、前記低温端末入口流路の開閉を行う低温暖房流路開閉弁と、前記高温暖房端末に設けられ、前記高温端末入口流路から前記高温暖房端末への熱媒の流入を制御する高温端末開閉弁と、前記高温暖房端末内の熱媒の温度を検出する高温端末温度検出手段と、前記高温端末開閉弁を開弁状態にし、前記低温暖房流路開閉弁を閉弁状態にし、前記補助熱源を駆動して熱媒を加熱した際に、前記高温端末温度検出手段による検出温度が前記補助熱源による熱媒の加熱前よりも第６所定温度以上上昇した場合に、前記高温端末入口流路が前記高温暖房端末に接続された正常接続状態であると判定し、報知する正常接続判定手段と、を備えることを特徴とする。
【００１５】
本発明によれば、高温端末開閉弁を開弁状態にし、低温暖房流路開閉弁を閉弁状態にし、補助熱源を駆動して熱媒を加熱した際に、高温端末入口流路が高温暖房端末に接続された正常接続状態であれば、補助熱源機により熱媒が加熱（例えば、８０°Ｃ）された場合、８０°Ｃの熱媒は、高温暖房端末には流れ、低温暖房端末には流れない。したがって、高温端末温度検出手段による検出温度（８０°Ｃ）は、熱媒の加熱前（例えば、５０°Ｃ）よりも上昇する。この点に着目して、上記制御を行った際に、正常接続判定手段は、高温端末温度検出手段による検出温度（８０°Ｃ）が、熱媒の加熱前（例えば、５０°Ｃ）よりも第６所定温度（例えば、１０°Ｃ）以上上昇した場合に、高温端末入口流路が高温暖房端末に接続された正常接続状態であると判定し、報知するので、高温端末入口流路と高温暖房端末との正常接続を確実に判定し、報知することができる。
【図面の簡単な説明】
【００１６】
【図１】本実施形態の暖房装置のシステム構成図。
【図２】高温側暖房用温液流路及び高温暖房用温液循環復路の接続状態を判定する処理の流れを示すフローチャート。
【図３】高温側暖房用温液流路が誤接続された状態の暖房装置のシステム構成図。
【図４】高温暖房用温液循環復路が誤接続された状態の暖房装置のシステム構成図。
【図５】高温側暖房用温液流路及び高温暖房用温液循環復路が誤接続された状態の暖房装置のシステム構成図。
【図６】低温暖房用温液循環復路の接続状態を判定する処理の流れを示すフローチャート。
【図７】低温側暖房用温液流路の接続状態を判定する処理の流れを示すフローチャート。
【図８】第２実施形態の暖房装置のシステム構成図。
【図９】第２実施形態の高温側暖房用温液流路の接続状態を判定する処理の流れを示すフローチャート。
【図１０】第２実施形態の高温側暖房用温液流路が誤接続された状態の暖房装置のシステム構成図。
【発明を実施するための形態】
【００１７】
［第１実施形態］
図１に示すように、本実施形態の暖房装置１は、暖房用の熱媒としての不凍液（以下、温液と称する）を貯留する貯留タンク１１が搭載された貯留タンクユニット２と、温液加熱用のヒートポンプ３１が搭載されたヒートポンプユニット３と、温液加熱用の補助熱源機としての燃焼式熱源機４１が搭載された燃焼式熱源機ユニット４と、１台以上の暖房端末機を含む暖房端末ユニット５とを備える。
【００１８】
暖房端末ユニット５は、本実施形態では、運転に必要な温液温度が比較的高い高温側暖房端末機５Ｈと、運転に必要な温液温度が高温側暖房端末機５Ｈよりも低い低温側暖房端末機５Ｌとを備える。
【００１９】
貯留タンク１１には、貯留タンク１１内の温液を外部のヒートポンプ３１の凝縮機３５（詳細は後述する）を経由して循環させるための蓄熱用温液循環往路１２ａ及び蓄熱用温液循環復路１２ｂと、貯留タンク１１内の温液を燃焼式熱源機ユニット４及び暖房端末ユニット５を経由して循環させるための暖房用温液循環往路１３ａ及び暖房用温液循環復路１３ｂとが接続されている。なお、貯留タンク１１は設けなくてもよい。
【００２０】
また、貯留タンク１１には、その高さ方向（上下方向）に間隔を存する複数（図示例では３つ）の高さ位置に、各高さ位置での貯留タンク１１内の温液の温度を検出する温度センサ１４ａ，１４ｂ，１４ｃが装着されている。
【００２１】
蓄熱用温液循環往路１２ａは、貯留タンク１１の下部とヒートポンプ３１の凝縮機３５とに接続されている。蓄熱用温液循環復路１２ｂは、凝縮機３５と貯留タンク１１の上部とに接続されている。蓄熱用温液循環往路１２ａに装着された後述する蓄熱用循環ポンプ１８は、貯留タンク１１内の温液を、蓄熱用温液循環往路１２ａ、ヒートポンプ３１の凝縮機３５、及び蓄熱用温液循環復路１２ｂを介して循環させる。
【００２２】
蓄熱用温液循環往路１２ａは、その上流端が貯留タンク１１の下部に接続され、下流端が凝縮機３５に接続されている。そして、蓄熱用温液循環往路１２ａには、逆止弁１５と、貯留タンク１１から流出する温液の温度を蓄熱用温液循環往路１２ａの上流部で検出する温度センサ１６と、手動式の開閉弁１７と、蓄熱用温液循環往路１２ａの上流側から下流側に向う温液の流れを発生させる蓄熱用循環ポンプ１８と、ヒートポンプ３１の凝縮機３５に流入する温液の温度を蓄熱用温液循環往路１２ａの下流部で検出する温度センサ１９とが装着されている。
【００２３】
この場合、本実施形態の例では、逆止弁１５及び温度センサ１６は貯留タンクユニット２内に配置され、蓄熱用循環ポンプ１８及び温度センサ１９はヒートポンプユニット３内に配置され、開閉弁１７は貯留タンクユニット２とヒートポンプユニット３との間に配置されている。
【００２４】
蓄熱用温液循環復路１２ｂは、その上流端がヒートポンプ３１の凝縮機３５の出口に接続され、下流端が貯留タンク１１の上部に接続されている。そして、蓄熱用温液循環復路１２ｂには、凝縮機３５から流出する温液の温度を蓄熱用温液循環復路１２ｂの上流部で検出する温度センサ２０と、手動式の開閉弁２１と、貯留タンク１１に流入する温液の温度を蓄熱用温液循環復路１２ｂの下流部で検出する温度センサ２２とが装着されている。
【００２５】
この場合、本実施形態の例では、温度センサ２０はヒートポンプユニット３内に配置され、温度センサ２２は貯留タンクユニット２内に配置され、開閉弁２１は貯留タンクユニット２とヒートポンプユニット３との間に配置されている。
【００２６】
暖房用温液循環往路１３ａは、貯留タンク１１と燃焼式熱源機ユニット４とに接続されている。暖房用温液循環復路１３ｂは、高温側暖房端末機５Ｈと暖房用温液循環往路１３ａとに接続される高温暖房用温液循環復路１３ｂ１と、低温側暖房端末機５Ｌと貯留タンク１１とに接続される低温暖房用温液循環復路１３ｂ２とを備える。詳しくは後述する暖房循環ポンプ５１は、貯留タンク１１内の温液を、暖房用温液循環往路１３ａ、燃焼式熱源機ユニット４、暖房端末ユニット５、及び暖房用温液循環復路１３ｂを介して循環させる。
【００２７】
暖房用温液循環往路１３ａは、その上流端が前記蓄熱用温液循環復路１２ｂの下流端部に合流されている。従って、暖房用温液循環往路１３ａの上流端は、蓄熱用温液循環復路１２ｂの下流端部を介して貯留タンク１１の上部に接続されている。
【００２８】
低温暖房用温液循環復路１３ｂ２は、その下流端が貯留タンク１１の下部に接続されている。また、低温暖房用温液循環復路１３ｂ２の下流部には、貯留タンクユニット２内に設置された分配弁２３が装着されている。
【００２９】
さらに、低温暖房用温液循環復路１３ｂ２の下流部と、暖房用温液循環往路１３ａの上流部とを、貯留タンク１１内を経由させずに、分配弁２３を介して連通させるバイパス路２４が設けられている。
【００３０】
分配弁２３は、本実施形態では、２つの出口ポートを有しており、入口ポートから流入した温液のうち、２つの出口ポートの一方の出口ポートから流出させる温液の流量と、他方の出口ポートから流出させる温液の流量との割合を可変的に制御可能な弁である。
【００３１】
そして、分配弁２３は、その入口ポートが低温暖房用温液循環復路１３ｂ２の上流側に連通し、一方の出口ポートが低温暖房用温液循環復路１３ｂ２の下流側に連通するように、該暖房用温液循環復路１３ｂに介装されると共に、他方の出口ポートが、バイパス路２４を介して暖房用温液循環往路１３ａに連通するように該バイパス路２４に接続されている。
【００３２】
従って、貯留タンクユニット２に設けられた、後述するタンク制御部７２により分配弁２３を制御することで、低温暖房用温液循環復路１３ｂ２で貯留タンクユニット２に戻ってきた温液の一部又は全部を、分配弁２３から貯留タンク１１を経由させずに（バイパス路２４を経由させて）、暖房用温液循環往路１３ａに環流させることが可能となっている。
【００３３】
なお、分配弁２３は、バイパス路２４と暖房用温液循環往路１３ａとの接続箇所に介装されていてもよい。
【００３４】
以降の説明では、分配弁２３の入口ポートに流入する温液の全部が、下流側の低温暖房用温液循環復路１３ｂ２に連通する一方の出口ポートから流出する動作状態（バイパス路２４側の出口ポートが全閉、貯留タンク１１側の出口ポートが全開になる動作状態）を、分配弁２３のバイパスＯＦＦ状態、分配弁２３の入口ポートに流入する温液の全部が、バイパス路２４に連通する他方の出口ポートから流出する動作状態（バイパス路２４側の出口ポートが全開、貯留タンク１１側の出口ポートが全閉になる動作状態）を分配弁２３のバイパスＯＮ状態、分配弁２３の入口ポートに流入する温液の一部が両方の出口ポートのそれぞれから流出する状態を分配弁２３のバイパス中間状態という。
【００３５】
また、暖房用温液循環往路１３ａには、貯留タンクユニット２内で２つの温度センサ２５，２６が装着され、低温暖房用温液循環復路１３ｂ２には、１つの温度センサ２７が装着されている。
【００３６】
温度センサ２５は、貯留タンク１１（又は蓄熱用温液循環復路１２ｂ）から暖房用温液循環往路１３ａに流入する温液の温度を検出するセンサであり、暖房用温液循環往路１３ａのうち、バイパス路２４の合流箇所よりも上流側の部分に装着されている。
【００３７】
温度センサ２６は、貯留タンクユニット２から暖房端末ユニット５側に送出される温液の温度を検出するセンサであり、暖房用温液循環往路１３ａのうち、バイパス路２４の合流箇所よりも下流側の部分に装着されている。この温度センサ２６の検出温度は、分配弁２３のバイパスＯＦＦ状態では、温度センサ２５の検出温度に一致もしくはほぼ一致する。
【００３８】
一方、分配弁２３のバイパスＯＮ状態又はバイパス中間状態では、温度センサ２６の検出温度は、貯留タンク１１（又は蓄熱用温液循環復路１２ｂ）から暖房用温液循環往路１３ａに流入する温液に、貯留タンクユニット２に暖房端末ユニット５側から戻ってきた温液の全部又は一部を混合させた後の温液の温度（温度センサ２５の検出温度よりも低い温度）となる。
【００３９】
低温暖房用温液循環復路１３ｂ２に装着された温度センサ２７は、貯留タンクユニット２に暖房端末ユニット５側から戻ってきた温液の温度を検出するセンサであり、低温暖房用温液循環復路１３ｂ２のうち、分配弁２３の上流側で暖房端末ユニット５に近い部分に装着されている。
【００４０】
ヒートポンプユニット３は、屋外に設置されるユニットである。このヒートポンプユニット３に搭載されたヒートポンプ３１は、貯留タンクユニット２の貯留タンク１１内の温液を加熱するための熱源機である。
【００４１】
ヒートポンプ３１は、公知の構造のものであり、ハイドロフルオロカーボン（ＨＦＣ）等の代替フロン、あるいは、二酸化炭素等の冷媒を循環させる冷媒循環流路３２と、この冷媒循環流路３２に装着された蒸発器３３、圧縮機３４、凝縮機３５、及び膨張機構３６と、蒸発器３３に外気（空気）を供給する回転ファン３７とを有する。
【００４２】
蒸発器３３は、冷媒循環流路３２を流れる冷媒と、回転ファン３７の回転により供給される外気（空気）との熱交換を行なう。
【００４３】
圧縮機３４は、蒸発器３３から供給される冷媒を圧縮することで、高温・高圧の冷媒を生成する。
【００４４】
凝縮機３５は、前記したように蓄熱用温液循環往路１２ａの下流端と蓄熱用温液循環復路１２ｂの上流端とが接続されている。
【００４５】
そして、凝縮機３５は、圧縮機３４から供給される高温・高圧の冷媒と、蓄熱用循環ポンプ１８の作動によって蓄熱用温液循環往路１２ａを介して貯留タンク１１から供給される温液との熱交換を行なうことで、該温液を加熱し、加熱した温液を蓄熱用温液循環復路１２ｂを介して貯留タンク１１に環流させる。
【００４６】
膨張機構３６は、膨張弁等により構成され、凝縮機３５から供給される放熱後の冷媒を断熱膨張させることでさらに冷却し、その冷却後の冷媒を蒸発器３３に送出する。
【００４７】
以上の蒸発器３３、圧縮機３４、凝縮機３５、及び膨張機構３６の作動により、凝縮機３５に貯留タンク１１から供給される温液が熱交換されて加熱され、その加熱後の温液が貯留タンク１１に戻される。これにより、貯留タンク１１内の温液が加熱されて、該温液の蓄熱がなされる。
【００４８】
暖房端末ユニット５は、本実施形態では、運転に必要な温液温度が比較的高い高温側暖房端末機５Ｈと、運転に必要な温液温度が高温側暖房端末機５Ｈよりも低い低温側暖房端末機５Ｌとを備える。
【００４９】
高温側暖房端末機５Ｈは、例えば浴室暖房装置等であり、該高温側暖房端末機５Ｈで要求される温液温度は、例えば８０°Ｃ程度である。また、低温側暖房端末機５Ｌは、例えば床暖房装置等であり、該低温側暖房端末機５Ｌで要求される温液温度は、例えば６０°Ｃ程度である。
【００５０】
これらの高温側暖房端末機５Ｈ及び低温側暖房端末機５Ｌは、燃焼式熱源機ユニット４から温液が供給されるように、それぞれ、後述する温液流路４２Ｈ，４２Ｌに接続されている。さらに、高温側暖房端末機５Ｈ及び低温側暖房端末機５Ｌは、それぞれで放熱した温液を環流させるように、高温暖房用温液循環復路１３ｂ１及び低温暖房用温液循環復路１３ｂ２の上流端に並列に接続されている。
【００５１】
高温側暖房端末機５Ｈには温度センサ５ＨＳが設けられ、低温側暖房端末機５Ｌには温度センサ５ＬＳが設けられている。
【００５２】
高温側暖房端末機５Ｈには高温端末開閉弁５ＨＶが設けられ、低温側暖房端末機５Ｌには低温端末開閉弁５ＬＶが設けられている。高温側暖房端末機５Ｈ、低温側暖房端末機５Ｌ、高温端末開閉弁５ＨＶ及び低温端末開閉弁５ＬＶは、端末制御部３８により駆動が制御される。端末制御部３８は、ＣＰＵ、ＲＡＭ、ＲＯＭ等により構成される制御回路部を有する。なお、低温端末開閉弁５ＬＶは設けないようにしてもよい。
【００５３】
端末制御部３８は、高温側暖房端末機５Ｈの運転停止状態では、高温端末開閉弁５ＨＶを閉弁状態とし、燃焼式熱源機ユニット４から高温側暖房端末機５Ｈへの温液の流入を遮断するようにしている。同様に、端末制御部３８は、低温側暖房端末機５Ｌの運転停止状態では、低温端末開閉弁５ＬＶを閉弁状態とし、燃焼式熱源機ユニット４から低温側暖房端末機５Ｌへの温液の流入を遮断するようにしている。なお、低温端末開閉弁５ＬＶを設けない場合、低温側暖房端末機５Ｌの運転停止状態では、後述する低温暖房流路開閉弁４２ＬＶを閉弁状態とし、燃焼式熱源機ユニット４から低温側暖房端末機５Ｌへの温液の流入を遮断する。
【００５４】
図１では、高温側暖房端末機５Ｈと低温側暖房端末機５Ｌとを、それぞれ１つずつ代表的に記載したが、高温側暖房端末機５Ｈ又は低温側暖房端末機５Ｌが、暖房装置１に複数台備えられていてもよい。複数台の高温側暖房端末機５Ｈは、上流側の後述する高温側暖房用温液流路４２Ｈに並列に接続される。同様に、複数台の低温側暖房端末機５Ｌは、上流側の後述する温液流路４２Ｌに並列に接続される。
【００５５】
燃焼式熱源機ユニット４は、燃焼式熱源機４１（補助熱源）と、暖房用温液循環往路１３ａで送られてきた温液を必要に応じて燃焼式熱源機４１により加熱して、暖房端末ユニット５に供給するための流路であり、暖房用温液循環往路１３ａの下流側に連続する暖房用温液流路４２とを備える。
【００５６】
燃焼式熱源機４１は、燃料を燃焼させるバーナ４４と、バーナ４４の燃焼運転によって発生する熱により温液を加熱する主熱交換器４５及び補助熱交換器４６とを備える。
【００５７】
バーナ４４で燃焼させる燃料は、例えば都市ガス、ＬＰガス等の燃料ガスである。バーナ４４の燃焼運転時には、図示を省略する電磁開閉弁や比例弁等を備える燃料供給機構を介して燃料ガスがバーナ４４に供給される。また、燃焼用空気が図示しないファンによりバーナ４４に供給される。そして、バーナ４４に供給された燃料ガスに、図示しないイグナイタ等の点火器により点火することで、バーナ４４の燃焼運転が行われる。
【００５８】
なお、バーナ４４の燃焼運転に係わる燃料供給機構等の構成は、公知のものでよい。また、バーナ４４は、燃料ガスに限らず、灯油等の液体燃料を燃焼させるものであってもよい。
【００５９】
主熱交換器４５は、バーナ４４の燃焼排気から顕熱を吸熱し、その顕熱により温液を加熱する顕熱吸熱型の熱交換器である。また、補助熱交換器４６は、主熱交換器４５を通過した燃焼排気中の水蒸気が凝縮する際の潜熱を吸熱し、その潜熱により温液を加熱する潜熱吸熱型の補助的な熱交換器である。
【００６０】
なお、燃焼式熱源機４１は、主熱交換器４５及び補助熱交換器４６のうちの主熱交換器４５だけを備えるものであってもよい。
【００６１】
暖房用温液流路４２は、その上流端が暖房用温液循環往路１３ａの下流端に連通され、該暖房用温液循環往路１３ａを流れてきた温液が流入するようになっている。
【００６２】
なお、暖房用温液流路４２の上流端は、高温の温液の体積増加分を吸収する膨張タンク（図示せず）にも接続されている。
【００６３】
暖房用温液流路４２は、燃焼式熱源機ユニット４内で、燃焼式熱源機４１の補助熱交換器４６を経由するように構成され、さらに、該補助熱交換器４６の下流側で、高温側暖房用温液流路４２Ｈと、低温側暖房用温液流路４２Ｌとに分流されている。
【００６４】
高温側暖房用温液流路４２Ｈは、暖房端末ユニット５の高温側暖房端末機５Ｈに温液を供給するための温液流路である。この高温側暖房用温液流路４２Ｈは、燃焼式熱源機４１の主熱交換器４５を経由するように流路され、その下流端に高温側暖房端末機５Ｈが接続される。
【００６５】
低温側暖房用温液流路４２Ｌは、暖房端末ユニット５の低温側暖房端末機５Ｌに温液を供給するための温液流路である。この低温側暖房用温液流路４２Ｌは、その下流端に低温側暖房端末機５Ｌが接続される。
【００６６】
低温側暖房用温液流路４２Ｌには、低温暖房流路開閉弁４２ＬＶが装着されている。この低温暖房流路開閉弁４２ＬＶは、開閉弁制御部４８により開閉が制御される。なお、高温側暖房用温液流路４２Ｈには、開閉弁は装着されていない。
【００６７】
暖房用温液流路４２には、暖房用温液流路４２の上流側から下流側に向う温液の流れを発生させる暖房循環ポンプ５１が、暖房用温液流路４２の高温側暖房用温液流路４２Ｈ及び低温側暖房用温液流路４２Ｌへの分流箇所よりも上流側に装着されている。
【００６８】
また、高温側暖房用温液流路４２Ｈには、その上流側の基幹の暖房用温液流路４２から該高温側暖房用温液流路４２Ｈに流入する温液の温度を検出する温度センサ５４と、主熱交換器４５から流出する温液の温度を検出する温度センサ５５とが装着されている。
【００６９】
本実施形態の例では、温度センサ５４は、高温側暖房用温液流路４２Ｈの上流端近傍の位置に配置され、温度センサ５５は、主熱交換器４５の近くで該主熱交換器４５の下流側に配置されている。
【００７０】
なお、温度センサ５４が検出する温度は、換言すれば、低温側暖房端末機５Ｌに供給される温液の温度であり、温度センサ５５が検出する温度は、換言すれば、高温側暖房端末機５Ｈに供給される温液の温度である。
【００７１】
本実施形態の暖房装置１では、貯留タンクユニット２にはタンク制御部７２が、ヒートポンプユニット３にはポンプ制御部７３が、燃焼式熱源機ユニット４には燃焼制御部７４が、それぞれが搭載されている。
【００７２】
各制御部７２〜７４は、詳細な図示は省略するが、制御回路部と、電源回路部とを含んでいる。それぞれの制御回路部は、ＣＰＵ、ＲＡＭ、ＲＯＭ等により構成される回路部であり、相互に通信可能とされている。
【００７３】
そして、貯留タンクユニット２のタンク制御部７２の制御回路部は、貯留タンクユニット２に備えられた温度センサ１４ａ，１４ｂ，１４ｃ，１６，２２，２５，２６，２７の検出データ、あるいは、ヒートポンプユニット３もしくは燃焼式熱源機ユニット４の制御回路部から与えられた通信データ等に基づいて、プログラム処理を実行することで、分配弁２３の作動を制御する。本実施形態では、タンク制御部７２は、分配制御部に相当する。
【００７４】
また、ヒートポンプユニット３のポンプ制御部７３の制御回路部は、ヒートポンプユニット３に備えられた温度センサ１９，２０の検出データ、あるいは、貯留タンクユニット２もしくは燃焼式熱源機ユニット４の制御回路部から与えられた通信データ等に基づいて、プログラム処理を実行することで、蓄熱用循環ポンプ１８、回転ファン３７、圧縮機３４等の作動を制御する。
【００７５】
また、ヒートポンプユニット３には、外気温を検出する外気温センサ（図示せず）が設けられ、この外気温センサで検出された外気温データは、ポンプ制御部７３の制御回路部に送られる。
【００７６】
燃焼式熱源機ユニット４の燃焼制御部７４の制御回路部は、燃焼式熱源機ユニット４に備えられた温度センサ５４，５５の検出データ、あるいは、図示しないリモコンから与えられる指示データ（暖房運転を行うための指示データ）、あるいは、貯留タンクユニット２もしくはヒートポンプユニット３の制御回路部から与えられた通信データ等に基づいて、プログラム処理を実行することで、燃焼式熱源機４１や暖房循環ポンプ５１等の作動を制御する。
【００７７】
なお、各制御部７２〜７４の制御回路部は、１つの回路基板により構成されていてもよい。
【００７８】
各制御部７２〜７４の電源回路部は、それぞれ、貯留タンクユニット２の各アクチュエータ（分配弁２３等）、ヒートポンプユニット３の各電子機器（蓄熱用循環ポンプ１８、圧縮機３４、回転ファン３７等）、燃焼式熱源機ユニット４の各アクチュエータ（暖房循環ポンプ５１等）に電力を供給する回路部である。
【００７９】
本実施形態の暖房装置１では、各制御部７２〜７４の電源回路部に、運転用の電源電力として、通常の家庭用電力又は商用電力（以下、通常電力と称する）が供給されるようになっている。
【００８０】
また、本実施形態では、貯留タンクユニット２のタンク制御部７２の電源回路部に供給される電力の一部は、貯留タンクユニット２の分配弁２３等の電装品の動作用の電源電力として利用される。
【００８１】
次に、本実施形態の暖房装置１の作動を説明する。
【００８２】
貯留タンクユニット２のタンク制御部７２及びヒートポンプユニット３のポンプ制御部７３に通常電力が供給されている状態で、ポンプ制御部７３の制御回路部の制御処理によって、蓄熱用循環ポンプ１８及びヒートポンプ３１の運転が行われる。
【００８３】
これにより、貯留タンク１１内の温液が蓄熱用温液循環往路１２ａ及び蓄熱用温液循環復路１２ｂで凝縮機３５を経由して循環しつつ所定の温度（例えば６０°Ｃ程度）に加熱され、貯留タンク１１内の温液の蓄熱が行なわれる。
【００８４】
一方、リモコンによって高温側暖房端末機５Ｈ又は低温側暖房端末機５Ｌの暖房運転を行なうことが指示された場合には、貯留タンクユニット２のタンク制御部７２及び燃焼式熱源機ユニット４の燃焼制御部７４の一方の制御回路部の制御処理、又は両方の制御回路部の協働の制御処理によって、暖房運転が行われる。燃焼制御部７４の制御回路部は、燃焼式熱源機４１や暖房循環ポンプ５１を作動させている場合には、その旨を示す燃焼作動データを、開閉弁制御部４８に送信する。
【００８５】
端末制御部３８は、高温側暖房端末機５Ｈの暖房運転を行うことが指示された場合には、高温端末開閉弁５ＨＶを開弁状態とし、低温側暖房端末機５Ｌの暖房運転を行うことが指示された場合には、低温端末開閉弁５ＬＶを開弁状態とする制御を行う。
【００８６】
ヒートポンプ３１が運転可能である場合の暖房運転は、具体的には、次のように行なわれる。なお、ヒートポンプ３１の運転は、低温側暖房端末機５Ｌの暖房運転が指示されている場合に行われる。
【００８７】
まず、暖房端末ユニット５に供給すべき温液（暖房用媒体）の目標温度である暖房設定温度が設定される。本実施形態では、暖房運転を行うことが指示されている暖房端末機５Ｈ，５Ｌの中で暖房要求温度（暖房運転のために必要な温液の温度）が最も高い暖房端末機の暖房要求温度が暖房設定温度として設定される。
【００８８】
従って、例えば暖房要求温度が８０°Ｃである浴室暖房装置等の高温側暖房端末機５Ｈと、暖房要求温度が６０°Ｃである床暖房装置等の低温側暖房端末機５Ｌとの両方の暖房運転を行なうことが指示されている場合、あるいは、高温側暖房端末機５Ｈだけの暖房運転を行うことが指示されている場合には、暖房設定温度は、８０°Ｃに設定される。
【００８９】
また、例えば、低温側暖房端末機５Ｌだけの暖房運転を行うことが指示されている場合には、暖房設定温度は、６０°Ｃに設定される。
【００９０】
なお、暖房端末機５Ｈ，５Ｌの運転の優先順位が、別途、ユーザ等により指定されているような場合には、最優先の暖房端末機の暖房要求温度を、暖房設定温度として設定するようにしてもよい。その場合、高温側暖房端末機５Ｈと低温側暖房端末機５Ｌとの両方の暖房運転を行なうことが指示されている場合であっても、低温側暖房端末機５Ｌ用の暖房要求温度（６０°Ｃ）を暖房設定温度として設定するようにしてもよい。
【００９１】
このように暖房設定温度を設定した状態で、燃焼式熱源機ユニット４の暖房循環ポンプ５１が作動され、暖房用温液循環往路１３ａ及び暖房用温液循環復路１３ｂでの温液の流通が行なわれる。また、分配弁２３はバイパスＯＦＦ状態又はバイパス中間状態に維持される。なお、分配弁２３をバイパスＯＮ状態にしてもよい。
【００９２】
貯留タンクユニット２から燃焼式熱源機ユニット４に供給される温液は、暖房用温液循環往路１３ａから燃焼式熱源機ユニット４の基幹の暖房用温液流路４２に流入する。そして、高温側暖房端末機５Ｈの運転時には、基幹の暖房用温液流路４２から高温側暖房用温液流路４２Ｈを経由して、高温側暖房端末機５Ｈに温液が供給される。また、低温側暖房端末機５Ｌの運転時には、基幹の暖房用温液流路４２から低温側暖房用温液流路４２Ｌを経由して、低温側暖房端末機５Ｌに温液が供給される。
【００９３】
なお、高温側暖房端末機５Ｈ及び低温側暖房端末機５Ｌの両方の運転時には、基幹の暖房用温液流路４２から高温側暖房用温液流路４２Ｈ及び低温側暖房用温液流路４２Ｌをそれぞれ経由して、高温側暖房端末機５Ｈ及び低温側暖房端末機５Ｌの両方に温液が供給される。
【００９４】
このとき、燃焼式熱源機ユニット４においては、暖房用温液流路４２から暖房端末ユニット５側に供給される温液の温度（温度センサ５４，５５の検出温度）が、暖房設定温度に既定の許容範囲内でほぼ一致する場合には、燃焼式熱源機４１は、運転停止状態（バーナ４４の燃焼運転を行なわない状態）に維持される。
【００９５】
一方、暖房用温液流路４２から暖房端末ユニット５側に供給される温液の温度（温度センサ５４，５５の検出温度）が、既定の許容範囲を逸脱して暖房設定温度よりも低い場合には、高温側暖房用温液流路４２Ｈで高温側暖房端末機５Ｈに供給される温液の温度（温度センサ５５の検出温度）又は低温側暖房用温液流路４２Ｌで低温側暖房端末機５Ｌに供給される温液の温度（温度センサ５４の検出温度）が、既定の許容範囲内で暖房設定温度にほぼ一致するように、燃焼式熱源機４１のバーナ４４の燃焼運転が行われる。
【００９６】
この場合、高温側暖房端末機５Ｈだけの暖房運転時、又は高温側暖房端末機５Ｈと低温側暖房端末機５Ｌとの両方の運転時には、温度センサ５５の検出温度が、既定の許容範囲内で暖房設定温度にほぼ一致するようにバーナ４４の燃焼量が制御される。また、低温側暖房端末機５Ｌだけの暖房運転時には、温度センサ５４の検出温度が、既定の許容範囲内で暖房設定温度にほぼ一致するようにバーナ４４の燃焼量が制御される。
【００９７】
以上のようにして、貯留タンクユニット２側から供給される温液をバーナ４４の燃焼運転によって加熱せずとも、暖房設定温度に一致もしくはほぼ一致する温液を暖房運転を行なう暖房端末機５Ｈ，５Ｌに供給できる状況では、貯留タンクユニット２側から供給される温液がそのまま、暖房端末機５Ｈ，５Ｌのうちの暖房運転を行う暖房端末機に供給される。
【００９８】
また、貯留タンクユニット２側から供給される温液の温度が、暖房設定温度に対して既定の許容範囲よりも低い場合には、燃焼式熱源機４１のバーナ４４の燃焼運転によって、不足分の熱量が当該温液に付加される。そして、このように不足分の熱量が付加されて暖房設定温度に一致もしくはほぼ一致する温度に昇温された温液が、暖房端末機５Ｈ，５Ｌのうちの暖房運転を行う暖房端末機に供給される。
【００９９】
そして、このように暖房端末機５Ｈ，５Ｌの一方又は両方に供給された温液は、該暖房端末機５Ｈ，５Ｌから、高温暖房用温液循環復路１３ｂ１、低温暖房用温液循環復路１３ｂ２及びバイパス路２４を介して、暖房用温液循環往路１３ａに環流される。
【０１００】
以上が、ヒートポンプ３１が運転可能である場合の暖房運転の作動である。
【０１０１】
次に、ヒートポンプ３１が運転不能である状態での暖房運転は、次のように行なわれる。
【０１０２】
まず、暖房設定温度が、ヒートポンプ３１が運転可能である場合の暖房運転の場合と同様に設定される。
【０１０３】
また、分配弁２３が前記バイパスＯＮ状態（分配弁２３のバイパス路２４側の出口ポートを全開、貯留タンク１１側の出口ポートを全閉にした状態）に維持される。すなわち、低温暖房用温液循環復路１３ｂ２を介して貯留タンクユニット２に戻ってくる温液の全量が、貯留タンク１１を経由することなく、分配弁２３からバイパス路２４を通って暖房用温液循環往路１３ａに環流するように分配弁２３が制御される。
【０１０４】
上記のように分配弁２３をバイパスＯＮ状態に制御した状態で、暖房循環ポンプ５１が作動され、暖房用温液循環往路１３ａ及び低温暖房用温液循環復路１３ｂ２（バイパス路２４よりも貯留タンク１１側の低温暖房用温液循環復路１３ｂ２を除く）とバイパス路２４での温液の流通が行なわれる。
【０１０５】
そして、暖房用温液循環往路１３ａを介して燃焼式熱源機ユニット４に供給される温液は、ヒートポンプ３１が運転可能である場合の暖房運転と同様に、暖房用温液循環往路１３ａから燃焼式熱源機ユニット４の基幹の暖房用温液流路４２に流入し、さらに、高温側暖房用温液流路４２Ｈ及び低温側暖房用温液流路４２Ｌの一方又は両方を経由して、暖房端末機５Ｈ，５Ｌの一方又は両方に供給される。
【０１０６】
このとき、燃焼式熱源機ユニット４においては、高温側暖房用温液流路４２Ｈで高温側暖房端末機５Ｈに供給される温液の温度（温度センサ５５の検出温度）又は低温側暖房用温液流路４２Ｌで低温側暖房端末機５Ｌに供給される温液の温度（温度センサ５４の検出温度）が、既定の許容範囲内で暖房設定温度にほぼ一致するように、燃焼式熱源機４１のバーナ４４の燃焼運転が行われる。
【０１０７】
この場合、高温側暖房端末機５Ｈだけの暖房運転時、又は高温側暖房端末機５Ｈと低温側暖房端末機５Ｌとの両方の運転時には、温度センサ５５の検出温度が、既定の許容範囲内で暖房設定温度にほぼ一致するようにバーナ４４の燃焼量が制御される。また、低温側暖房端末機５Ｌだけの暖房運転時には、温度センサ５４の検出温度が、既定の許容範囲内で暖房設定温度にほぼ一致するようにバーナ４４の燃焼量が制御される。
【０１０８】
このように、ヒートポンプ３１が運転不能である状態での暖房運転では、分配弁２３をバイパスＯＮ状態に制御した状態で、暖房端末ユニット５に供給される温液の温調制御が燃焼式熱源機４１のバーナ４４の燃焼運転の制御により行われる。
【０１０９】
以上が、ヒートポンプ３１が運転不能である状態での暖房運転の作動である。
【０１１０】
ヒートポンプ３１が運転不能である状態では、貯留タンク１１内の温液をヒートポンプ３１により適切に加熱することができないので、該貯留タンク１１内の温液が、自然放熱等によって、やがて暖房設定温度よりも低い温度に低下してしまう。
【０１１１】
このような状況で、仮に、暖房運転のための温液を貯留タンク１１を経由させて循環させると、暖房端末ユニット５から貯留タンクユニット２に戻って来る温液が、貯留タンク１１での冷えた温液との熱交換によって無駄に放熱することとなって、該温液の熱損失が増加してしまう。
【０１１２】
しかるに、本実施形態では、貯留タンク１１内の温液が冷えた状況では、暖房端末ユニット５から貯留タンクユニット２に戻って来る温液が、貯留タンク１１を経由することなく、バイパス路２４を経由して流れた後、燃焼式熱源機ユニット４側に供給される。
【０１１３】
このため、燃焼式熱源機ユニット４及び暖房端末ユニット５を経由して循環する温液が貯留タンクユニット２で放熱することを最小限に留めて、該貯留タンクユニット２での温液の熱損失を低減できる。ひいては、燃焼式熱源機ユニット４のバーナ４４の燃焼量を抑制することができる。
【０１１４】
［正常接続判定：高温側暖房端末機］
暖房装置１では、設置作業後に、高温側暖房用温液流路４２Ｈ及び高温暖房用温液循環復路１３ｂ１が高温側暖房端末機５Ｈに接続されている正常接続状態であるか否かを判定する正常接続判定を行う。
【０１１５】
図２に示すように、正常接続判定では、先ず高温側暖房端末機５Ｈの試運転を行う（ＳＴＥＰ１）。この試運転では、燃焼式熱源機４１による温液の加熱は行わず、端末制御部３８は、高温端末開閉弁５ＨＶを開弁状態とし、開閉弁制御部４８は、低温暖房流路開閉弁４２ＬＶを開弁状態とし、燃焼制御部７４は、暖房循環ポンプ５１をオンする制御を行う。なお、低温端末開閉弁５ＬＶは、開弁状態、閉弁状態のいずれでもよい。
【０１１６】
端末制御部３８は、高温側暖房端末機５Ｈの温度センサ５ＨＳでの検出温度が所定温度（例えば、５０°Ｃ）未満であるか否かを判定する（ＳＴＥＰ２）。
【０１１７】
温度センサ５ＨＳでの検出温度が５０°Ｃ未満であると判定された場合（ＳＴＥＰ２で「ＹＥＳ」）、タンク制御部７２は、低温側暖房端末機５Ｌからの温液が流れる低温暖房用温液循環復路１３ｂ２に設けられた温度センサ２７での検出温度が所定温度（例えば、５０°Ｃ）未満であるか否かを判定する（ＳＴＥＰ３）。温度センサ５ＨＳでの検出温度が５０°Ｃ未満ではないと判定された場合（ＳＴＥＰ２で「ＮＯ」）、再びＳＴＥＰ２が行われる。
【０１１８】
温度センサ２７での検出温度が５０°Ｃ未満であると判定された場合（ＳＴＥＰ３で「ＹＥＳ」）、端末制御部３８は、現時点の温度センサ５ＨＳでの検出温度をメモリ（図示せず）に記憶し、タンク制御部７２は、現時点の温度センサ２７での検出温度をメモリに記憶する（ＳＴＥＰ４）。
【０１１９】
一方、温度センサ２７での検出温度が５０°Ｃ未満ではないと判定された場合（ＳＴＥＰ３で「ＮＯ」）、タンク制御部７２は、温度センサ５ＨＳでの検出温度が５０°Ｃ未満であると判定されてからの時間をタイマ（図示せず）により計時し、所定時間（例えば、１０分）経過したか否かを判定する（ＳＴＥＰ５）。
【０１２０】
１０分経過していると判定された場合（ＳＴＥＰ５で「ＹＥＳ」）、ＳＴＥＰ４が行われ、１０分経過していないと判定された場合（ＳＴＥＰ５で「ＮＯ」）、再びＳＴＥＰ３が行われる。
【０１２１】
現時点の温度センサ５ＨＳ及び温度センサ２７での検出温度を記憶した（ＳＴＥＰ４）後、暖房燃焼を開始する（ＳＴＥＰ６）。この暖房燃焼では、暖房設定温度は例えば８０°Ｃに設定され、燃焼制御部７４は、温液を８０°Ｃに加熱するように燃焼式熱源機４１を駆動し、低温暖房流路開閉弁４２ＬＶを閉弁状態とする制御を行う。
【０１２２】
暖房燃焼開始後、端末制御部３８は、温度センサ５ＨＳでの検出温度が、メモリに記憶された温度センサ５ＨＳの検出温度（以下、暖房燃焼開始前端末記憶温度と称する）に１０°Ｃ加算した温度以上であるか否かを判定する（ＳＴＥＰ７）。
【０１２３】
温度センサ５ＨＳでの検出温度が、温度センサ５ＨＳの暖房燃焼開始前端末記憶温度に１０°Ｃ加算した温度以上であると判定された場合（ＳＴＥＰ７で「ＹＥＳ」）、タンク制御部７２は、温度センサ２７での検出温度が、メモリに記憶された温度センサ２７での検出温度（以下、暖房燃焼開始前戻り記憶温度と称する）に５°Ｃ加算した温度未満であるか否かを判定する（ＳＴＥＰ８）。
【０１２４】
タンク制御部７２は、温度センサ２７での検出温度が、暖房燃焼開始前戻り記憶温度に５°Ｃ加算した温度未満であると判定した場合（ＳＴＥＰ８で「ＹＥＳ」）、高温側暖房用温液流路４２Ｈ及び高温暖房用温液循環復路１３ｂ１が高温側暖房端末機５Ｈに接続されている正常接続状態であると判定し、その旨をリモコンに表示させる（ＳＴＥＰ９）。
【０１２５】
一方、温度センサ５ＨＳでの検出温度が、温度センサ５ＨＳの暖房燃焼開始前端末記憶温度に１０°Ｃ加算した温度以上でないと判定された場合（ＳＴＥＰ７で「ＮＯ」）や、温度センサ２７での検出温度が、温度センサ２７の暖房燃焼開始前戻り記憶温度に５°Ｃ加算した温度未満ではないと判定された場合（ＳＴＥＰ８で「ＮＯ」）、タンク制御部７２は、暖房燃焼を開始してからタイマにより計時された時間が、所定時間（例えば、１０分）経過した否かを判定する（ＳＴＥＰ１０）。
【０１２６】
１０分経過していないと判定された場合（ＳＴＥＰ１０で「ＮＯ」）、再びＳＴＥＰ７が行われる。
【０１２７】
１０分経過していると判定された場合（ＳＴＥＰ１０で「ＹＥＳ」）、高温側暖房用温液流路４２Ｈ及び高温暖房用温液循環復路１３ｂ１が高温側暖房端末機５Ｈに正常に接続されていない誤接続状態であると判定し、その旨をリモコンに表示させる（ＳＴＥＰ１１）。
【０１２８】
本実施形態では、高温側暖房用温液流路４２Ｈ及び高温暖房用温液循環復路１３ｂ１が高温側暖房端末機５Ｈに接続されている場合、高温端末開閉弁５ＨＶを開弁状態、低温端末開閉弁５ＬＶを閉弁状態に制御した状態で、燃焼式熱源機４１により温液を８０°Ｃに加熱し、低温暖房流路開閉弁４２ＬＶを閉弁状態とする（ＳＴＥＰ６）と、８０°Ｃの温液が高温側暖房用温液流路４２Ｈを通って高温側暖房端末機５Ｈに送られる。これにより、温度センサ５ＨＳでの検出温度は８０°Ｃとなり、温度センサ５ＨＳでの検出温度（８０°Ｃ）が、暖房燃焼開始前端末記憶温度に１０°Ｃ加算した温度（例えば、４９°Ｃに１０°Ｃを加算した５９°Ｃ）以上であると判定される（ＳＴＥＰ７で「ＹＥＳ」）。
【０１２９】
さらに、低温暖房流路開閉弁４２ＬＶは閉弁状態であるので、低温側暖房用温液流路４２Ｌから低温側暖房端末機５Ｌに温液は流れず、低温暖房用温液循環復路１３ｂ２にも温液は流れない。これにより、温度センサ２７での検出温度は４９°Ｃのまま上昇せず（ＳＴＥＰ８で「ＹＥＳ」）、タンク制御部７２は、高温側暖房用温液流路４２Ｈ及び高温暖房用温液循環復路１３ｂ１が高温側暖房端末機５Ｈに接続されている正常接続状態であると判定し、その旨をリモコンに表示させる（ＳＴＥＰ９）。
【０１３０】
これに対して、図３に示すように、高温側暖房用温液流路４２Ｈが低温側暖房端末機５Ｌに接続され、低温側暖房用温液流路４２Ｌが高温側暖房端末機５Ｈに接続された誤接続状態である場合には、高温端末開閉弁５ＨＶを開弁状態、低温端末開閉弁５ＬＶを閉弁状態に制御した状態で、燃焼式熱源機４１により温液を８０°Ｃに加熱し、低温暖房流路開閉弁４２ＬＶを閉弁状態とする（ＳＴＥＰ６）と、高温側暖房端末機５Ｈには温液が送られない。これは、高温側暖房端末機５Ｈに接続された低温側暖房用温液流路４２Ｌに設けられた低温暖房流路開閉弁４２ＬＶが閉弁状態のためである。
【０１３１】
このため、温度センサ５ＨＳでの検出温度は上昇しない（ＳＴＥＰ７で「ＮＯ」）。この状態が１０分経過していると判定された場合（ＳＴＥＰ１０で「ＹＥＳ」）、高温側暖房用温液流路４２Ｈが高温側暖房端末機５Ｈに正常に接続されていない誤接続状態であると判定し、その旨をリモコンに表示させる（ＳＴＥＰ１１）。
【０１３２】
また、図４に示すように、高温暖房用温液循環復路１３ｂ１が低温側暖房端末機５Ｌに接続され、低温暖房用温液循環復路１３ｂ２が高温側暖房端末機５Ｈに接続された誤接続状態である場合には、高温端末開閉弁５ＨＶを開弁状態、低温端末開閉弁５ＬＶを閉弁状態に制御した状態で、燃焼式熱源機４１により温液を８０°Ｃに加熱し、低温暖房流路開閉弁４２ＬＶを閉弁状態とする（ＳＴＥＰ６）と、８０°Ｃの温液が高温側暖房用温液流路４２Ｈを通って高温側暖房端末機５Ｈに送られる。これにより、温度センサ５ＨＳでの検出温度は８０°Ｃとなり、温度センサ５ＨＳでの検出温度（８０°Ｃ）が、暖房燃焼開始前端末記憶温度に１０°Ｃ加算した温度（４９°Ｃに１０°Ｃを加算した５９°Ｃ）以上であると判定される（ＳＴＥＰ７で「ＹＥＳ」）。
【０１３３】
しかし、低温暖房用温液循環復路１３ｂ２が高温側暖房端末機５Ｈに接続されているため、高温側暖房端末機５Ｈで放熱されて８０°Ｃから温度が低下したとしても、高温側暖房端末機５Ｈから低温暖房用温液循環復路１３ｂ２に６５°Ｃ程度の温液が流れる。このため、温度センサ２７での検出温度は６５°Ｃ程度となり、暖房燃焼開始前戻り記憶温度に５°Ｃ加算した温度（４９°Ｃに５°Ｃを加算した５４°Ｃ）未満ではないと判定される（ＳＴＥＰ８で「ＮＯ」）。この状態が１０分経過していると判定された場合（ＳＴＥＰ１０で「ＹＥＳ」）、高温暖房用温液循環復路１３ｂ１が高温側暖房端末機５Ｈに正常に接続されていない誤接続状態であると判定し、その旨をリモコンに表示させる（ＳＴＥＰ１１）。
【０１３４】
さらに、図５に示すように、図３及び図４に示す状態を組み合わせ、高温側暖房用温液流路４２Ｈ及び高温暖房用温液循環復路１３ｂ１が低温側暖房端末機５Ｌに接続され、低温側暖房用温液流路４２Ｌ及び低温暖房用温液循環復路１３ｂ２が高温側暖房端末機５Ｈに接続された誤接続状態である場合には、温度センサ５ＨＳでの検出温度は上昇しない（ＳＴＥＰ７で「ＮＯ」）。この状態が１０分経過していると判定された場合（ＳＴＥＰ１０で「ＹＥＳ」）、高温側暖房用温液流路４２Ｈが高温側暖房端末機５Ｈに正常に接続されていない誤接続状態であると判定し、その旨をリモコンに表示させる（ＳＴＥＰ１１）。
【０１３５】
なお、この誤接続状態では、高温側暖房端末機５Ｈには温液が送られないため、低温暖房用温液循環復路１３ｂ２にも温液は流れない。したがって、温度センサ２７での検出温度は４９°Ｃのまま上昇しない。
【０１３６】
［正常接続判定：低温側暖房端末機］
暖房装置１では、設置作業後に、低温暖房用温液循環復路１３ｂ２が低温側暖房端末機５Ｌに接続されている正常接続状態であるか否かを判定する正常接続判定を行う。
【０１３７】
図６に示すように、正常接続判定では、先ず低温側暖房端末機５Ｌの試運転を行う（ＳＴＥＰ２１）。この試運転では、燃焼式熱源機４１による温液の加熱は行わず、端末制御部３８は、高温端末開閉弁５ＨＶを閉弁状態とし、低温端末開閉弁５ＬＶを開弁状態とし、開閉弁制御部４８は、低温暖房流路開閉弁４２ＬＶを開弁状態とし、燃焼制御部７４は、暖房循環ポンプ５１をオンする制御を行う。
【０１３８】
端末制御部３８は、低温側暖房端末機５Ｌの温度センサ５ＬＳでの検出温度が所定温度（例えば、５０°Ｃ）未満であるか否かを判定する（ＳＴＥＰ２２）。
【０１３９】
温度センサ５ＬＳでの検出温度が５０°Ｃ未満であると判定された場合（ＳＴＥＰ２２で「ＹＥＳ」）、タンク制御部７２は、温度センサ２７での検出温度が所定温度（例えば、５０°Ｃ）未満であるか否かを判定する（ＳＴＥＰ２３）。温度センサ５ＬＳでの検出温度が５０°Ｃ未満ではないと判定された場合（ＳＴＥＰ２２で「ＮＯ」）、再びＳＴＥＰ２２が行われる。
【０１４０】
温度センサ２７での検出温度が５０°Ｃ未満であると判定された場合（ＳＴＥＰ２３で「ＹＥＳ」）、端末制御部３８は、現時点の温度センサ５ＬＳでの検出温度をメモリ（図示せず）に記憶し、タンク制御部７２は、現時点の温度センサ２７での検出温度をメモリに記憶する（ＳＴＥＰ２４）。
【０１４１】
一方、温度センサ２７での検出温度が５０°Ｃ未満ではないと判定された場合（ＳＴＥＰ２３で「ＮＯ」）、タンク制御部７２は、温度センサ５ＬＳでの検出温度が５０°Ｃ未満であると判定されてからの時間をタイマにより計時し、所定時間（例えば、１０分）経過した否かを判定する（ＳＴＥＰ２５）。
【０１４２】
１０分経過していると判定された場合（ＳＴＥＰ２５で「ＹＥＳ」）、ＳＴＥＰ２４が行われ、１０分経過していないと判定された場合（ＳＴＥＰ２５で「ＮＯ」）、再びＳＴＥＰ２３が行われる。
【０１４３】
ＳＴＥＰ２６の暖房燃焼では、暖房設定温度は例えば８０°Ｃに設定され、燃焼制御部７４は、温液を８０°Ｃに加熱するように燃焼式熱源機４１を駆動し、低温暖房流路開閉弁４２ＬＶを開弁状態に維持する制御を行う。
【０１４４】
暖房燃焼開始後、端末制御部３８は、温度センサ５ＬＳでの検出温度が、メモリに記憶された温度センサ５ＬＳの暖房燃焼開始前端末記憶温度に１０°Ｃ加算した温度以上であるか否かを判定する（ＳＴＥＰ２７）。
【０１４５】
温度センサ５ＬＳでの検出温度が、温度センサ５ＬＳの暖房燃焼開始前端末記憶温度に１０°Ｃ加算した温度以上であると判定された場合（ＳＴＥＰ２７で「ＹＥＳ」）、タンク制御部７２は、温度センサ２７での検出温度が、メモリに記憶された温度センサ２７の暖房燃焼開始前戻り記憶温度に１０°Ｃ加算した温度以上であるか否かを判定する（ＳＴＥＰ２８）。
【０１４６】
タンク制御部７２は、温度センサ２７での検出温度が、温度センサ２７の暖房燃焼開始前戻り記憶温度に１０°Ｃ加算した温度以上であると判定した場合（ＳＴＥＰ２８で「ＹＥＳ」）、低温暖房用温液循環復路１３ｂ２が低温側暖房端末機５Ｌに接続されている正常接続状態であると判定し、その旨をリモコンに表示させる（ＳＴＥＰ２９）。
【０１４７】
一方、温度センサ５ＬＳでの検出温度が、温度センサ５ＬＳの暖房燃焼開始前端末記憶温度に１０°Ｃ加算した温度以上でないと判定された場合（ＳＴＥＰ２７で「ＮＯ」）や、温度センサ２７での検出温度が、温度センサ２７の暖房燃焼開始前戻り記憶温度に１０°Ｃ加算した温度以上ではないと判定された場合（ＳＴＥＰ２８で「ＮＯ」）、タンク制御部７２は、暖房燃焼を開始してからタイマにより計時された時間が、所定時間（例えば、１０分）経過した否かを判定する（ＳＴＥＰ３０）。
【０１４８】
１０分経過していないと判定された場合（ＳＴＥＰ３０で「ＮＯ」）、再びＳＴＥＰ２７が行われる。
【０１４９】
１０分経過していると判定された場合（ＳＴＥＰ３０で「ＹＥＳ」）、低温暖房用温液循環復路１３ｂ２が低温側暖房端末機５Ｌに正常に接続されていない誤接続状態であると判定し、その旨をリモコンに表示させる（ＳＴＥＰ３１）。
【０１５０】
本実施形態では、低温暖房用温液循環復路１３ｂ２が低温側暖房端末機５Ｌに接続されている場合、燃焼式熱源機４１により温液を８０°Ｃに加熱し、低温暖房流路開閉弁４２ＬＶを開弁状態に維持する（ＳＴＥＰ２６）と、８０°Ｃの温液が低温側暖房用温液流路４２Ｌ（図１参照）又は高温側暖房用温液流路４２Ｈ（図３参照）を通って低温側暖房端末機５Ｌに送られる。これにより、温度センサ５ＬＳでの検出温度は８０°Ｃとなり、温度センサ５ＬＳでの検出温度（８０°Ｃ）が、温度センサ５ＬＳの暖房燃焼開始前端末記憶温度に１０°Ｃ加算した温度（４９°Ｃに１０°Ｃを加算した５９°Ｃ）以上であると判定される（ＳＴＥＰ２７で「ＹＥＳ」）。
【０１５１】
さらに、低温側暖房端末機５Ｌで放熱されて８０°Ｃから温度が低下したとしても、低温側暖房端末機５Ｌから低温暖房用温液循環復路１３ｂ２に６５°Ｃ程度の温液が流れる。このため、温度センサ２７での検出温度は６５°Ｃ程度となり、温度センサ２７での検出温度（６５°Ｃ）が、温度センサ２７の暖房燃焼開始前戻り記憶温度に１０°Ｃ加算した温度（４９°Ｃに１０°Ｃを加算した５９°Ｃ）以上であると判定され（ＳＴＥＰ２８で「ＹＥＳ」）、低温暖房用温液循環復路１３ｂ２が低温側暖房端末機５Ｌに接続されている正常接続であると判定し、その旨をリモコンに表示させる（ＳＴＥＰ２９）。
【０１５２】
これに対して、図４及び図５に示すように、高温暖房用温液循環復路１３ｂ１が低温側暖房端末機５Ｌに接続され、低温暖房用温液循環復路１３ｂ２が高温側暖房端末機５Ｈに接続された誤接続状態である場合には、高温端末開閉弁５ＨＶを閉弁状態、低温端末開閉弁５ＬＶを開弁状態に制御した状態で、燃焼式熱源機４１により温液を８０°Ｃに加熱し、低温暖房流路開閉弁４２ＬＶを開弁状態に維持する（ＳＴＥＰ２６）と、低温暖房用温液循環復路１３ｂ２が接続された高温側暖房端末機５Ｈの高温端末開閉弁５ＨＶは閉弁状態であるため、低温暖房用温液循環復路１３ｂ２には温液が送られない。このため、温度センサ２７での検出温度は上昇しない（ＳＴＥＰ２８で「ＮＯ」）。この状態が１０分経過していると判定された場合（ＳＴＥＰ３０で「ＹＥＳ」）、低温暖房用温液循環復路１３ｂ２が低温側暖房端末機５Ｌに接続に正常に接続されていない誤接続状態であると判定し、その旨をリモコンに表示させる（ＳＴＥＰ３１）。
【０１５３】
［正常接続判定：低温側暖房端末機］
暖房装置１では、設置作業後に、低温側暖房用温液流路４２Ｌが低温側暖房端末機５Ｌに接続されている正常接続状態であるか否かを判定する正常接続判定を行う。
【０１５４】
図７に示すように、正常接続判定では、先ず高温側暖房端末機５Ｈの試運転を行う（ＳＴＥＰ４１）。この試運転では、燃焼式熱源機４１による温液の加熱は行わず、端末制御部３８は、高温端末開閉弁５ＨＶ及び低温端末開閉弁５ＬＶを開弁状態とし、開閉弁制御部４８は、低温暖房流路開閉弁４２ＬＶを開弁状態とし、燃焼制御部７４は、暖房循環ポンプ５１をオンする制御を行う。
【０１５５】
端末制御部３８は、低温側暖房端末機５Ｌの温度センサ５ＬＳでの検出温度が所定温度（例えば、５０°Ｃ）未満であるか否かを判定する（ＳＴＥＰ４２）。温度センサ５ＬＳでの検出温度が５０°Ｃ未満ではないと判定された場合（ＳＴＥＰ４２で「ＮＯ」）、再びＳＴＥＰ４２が行われる。
【０１５６】
温度センサ５ＬＳでの検出温度が５０°Ｃ未満であると判定された場合（ＳＴＥＰ４２で「ＹＥＳ」）、端末制御部３８は、現時点の温度センサ５ＬＳでの検出温度をメモリ（図示せず）に記憶する（ＳＴＥＰ４３）。
【０１５７】
ＳＴＥＰ４４の暖房燃焼では、暖房設定温度は例えば８０°Ｃに設定され、燃焼制御部７４は、温液を８０°Ｃに加熱するように燃焼式熱源機４１を駆動し、低温暖房流路開閉弁４２ＬＶを閉弁状態にする制御を行う。
【０１５８】
暖房燃焼開始後、端末制御部３８は、温度センサ５ＬＳでの検出温度が、メモリに記憶された温度センサ５ＬＳの暖房燃焼開始前端末記憶温度に１０°Ｃ加算した温度以上であるか否かを判定する（ＳＴＥＰ４５）。
【０１５９】
端末制御部３８は、温度センサ５ＬＳでの検出温度が、温度センサ５ＬＳの暖房燃焼開始前端末記憶温度に１０°Ｃ加算した温度以上であると判定された場合（ＳＴＥＰ４５で「ＹＥＳ」）、低温側暖房用温液流路４２Ｌが低温側暖房端末機５Ｌに接続されていない誤接続状態であると判定し、その旨をリモコンに表示させる（ＳＴＥＰ４６）。
【０１６０】
一方、温度センサ５ＬＳでの検出温度が、温度センサ５ＬＳの暖房燃焼開始前端末記憶温度に１０°Ｃ加算した温度以上でないと判定された場合（ＳＴＥＰ４５で「ＮＯ」）、端末制御部３８は、高温側暖房端末機５Ｈの試運転を終了したか否かを判定する（ＳＴＥＰ４７）。
【０１６１】
高温側暖房端末機５Ｈの試運転を終了していないと判定された場合（ＳＴＥＰ４７で「ＮＯ」）、再びＳＴＥＰ４５が行われる。
【０１６２】
高温側暖房端末機５Ｈの試運転を終了したと判定された場合（ＳＴＥＰ４７で「ＹＥＳ」）、低温側暖房用温液流路４２Ｌが低温側暖房端末機５Ｌに接続されている正常接続状態であると判定し、その旨をリモコンに表示させる（ＳＴＥＰ４８）。
【０１６３】
本実施形態では、図１及び図４に示すように、低温側暖房用温液流路４２Ｌが低温側暖房端末機５Ｌに接続されている場合、燃焼式熱源機４１により温液を８０°Ｃに加熱し、低温暖房流路開閉弁４２ＬＶを閉弁状態にする（ＳＴＥＰ４４）と、低温側暖房端末機５Ｌには温液が送られない。これにより、温度センサ５ＬＳでの検出温度は上昇せず、温度センサ５ＬＳでの検出温度は、温度センサ５ＬＳの暖房燃焼開始前端末記憶温度に１０°Ｃ加算した温度以上ではないと判定される（ＳＴＥＰ４５で「ＮＯ」）。この状態で高温側暖房端末機５Ｈの試運転を終了したと判定された場合（ＳＴＥＰ４７で「ＹＥＳ」）、低温側暖房用温液流路４２Ｌが低温側暖房端末機５Ｌに接続されている正常接続状態であると判定し、その旨をリモコンに表示させる（ＳＴＥＰ４８）。
【０１６４】
これに対して、図３及び図５に示すように、高温側暖房用温液流路４２Ｈが低温側暖房端末機５Ｌに接続され、低温側暖房用温液流路４２Ｌが高温側暖房端末機５Ｈに接続された誤接続状態である場合には、燃焼式熱源機４１により温液を８０°Ｃに加熱し、低温暖房流路開閉弁４２ＬＶを閉弁状態にする（ＳＴＥＰ４４）と、低温端末開閉弁５ＬＶは開弁状態であるので、高温側暖房用温液流路４２Ｈから低温側暖房端末機５Ｌに８０°Ｃの温液が流れる。
【０１６５】
低温側暖房端末機５Ｌに８０°Ｃの温液が流れると、温度センサ５ＬＳでの検出温度は８０°Ｃとなり、温度センサ５ＬＳでの検出温度（８０°Ｃ）が、温度センサ５ＬＳの暖房燃焼開始前端末記憶温度（例えば、４９°Ｃ）に１０°Ｃ加算した温度以上であると判定され（ＳＴＥＰ４５で「ＹＥＳ」）、低温側暖房用温液流路４２Ｌが低温側暖房端末機５Ｌに接続されていない誤接続状態であると判定し、その旨をリモコンに表示させる（ＳＴＥＰ４６）。
【０１６６】
［第２実施形態］
図８に示す第２実施形態の暖房装置８０では、貯留タンクユニット及びヒートポンプユニットは設けられていない。なお、上記実施形態と同様の構成部材には同一の符号を付し、その詳細な説明を省略する。また、低温端末開閉弁５ＬＶ及び温度センサ５ＬＳは設けなくてもよい。
【０１６７】
高温暖房用温液循環復路１３ｂ１及び低温暖房用温液循環復路１３ｂ２は、暖房用温液流路４２に接続されている。高温側暖房端末機５Ｈ及び低温側暖房端末機５Ｌからの温液は、燃焼式熱源機ユニット４に流れる。
【０１６８】
［正常接続判定：高温側暖房端末機］
暖房装置８０では、設置作業後に、高温側暖房用温液流路４２Ｈが高温側暖房端末機５Ｈに接続されている正常接続状態であるか否かを判定する正常接続判定を行う。
【０１６９】
図９に示すように、正常接続判定では、先ず高温側暖房端末機５Ｈの試運転を行う（ＳＴＥＰ５１）。この試運転では、上記ＳＴＥＰ１と同様に、燃焼式熱源機４１による温液の加熱は行わず、端末制御部３８は、高温端末開閉弁５ＨＶを開弁状態とし、開閉弁制御部４８は、低温暖房流路開閉弁４２ＬＶを開弁状態とし、燃焼制御部７４は、暖房循環ポンプ５１をオンする制御を行う。なお、低温端末開閉弁５ＬＶは、開弁状態、閉弁状態のいずれでもよい。
【０１７０】
端末制御部３８は、高温側暖房端末機５Ｈの温度センサ５ＨＳでの検出温度が所定温度（例えば、５０°Ｃ）未満であるか否かを判定する（ＳＴＥＰ５２）。
【０１７１】
温度センサ５ＨＳでの検出温度が５０°Ｃ未満であると判定された場合（ＳＴＥＰ５２で「ＹＥＳ」）、端末制御部３８は、現時点の温度センサ５ＨＳでの検出温度をメモリ（図示せず）に記憶する（ＳＴＥＰ５３）。温度センサ５ＨＳでの検出温度が５０°Ｃ未満ではないと判定された場合（ＳＴＥＰ５２で「ＮＯ」）、再びＳＴＥＰ５２を行う。
【０１７２】
ＳＴＥＰ５４の暖房燃焼では、暖房設定温度は例えば８０°Ｃに設定され、燃焼制御部７４は、温液を８０°Ｃに加熱するように燃焼式熱源機４１を駆動し、低温暖房流路開閉弁４２ＬＶを閉弁状態とする制御を行う。
【０１７３】
暖房燃焼開始後、端末制御部３８は、温度センサ５ＨＳでの検出温度が、メモリに記憶された温度センサ５ＨＳの暖房燃焼開始前端末記憶温度に１０°Ｃ加算した温度以上であるか否かを判定する（ＳＴＥＰ５５）。
【０１７４】
温度センサ５ＨＳでの検出温度が、温度センサ５ＨＳの暖房燃焼開始前端末記憶温度に１０°Ｃ加算した温度以上であると判定された場合（ＳＴＥＰ５５で「ＹＥＳ」）、端末制御部３８は、高温側暖房用温液流路４２Ｈが高温側暖房端末機５Ｈに接続されている正常接続状態であると判定し、その旨をリモコンに表示させる（ＳＴＥＰ５６）。
【０１７５】
一方、温度センサ５ＨＳでの検出温度が、温度センサ５ＨＳの暖房燃焼開始前端末記憶温度に１０°Ｃ加算した温度以上でないと判定された場合（ＳＴＥＰ５５で「ＮＯ」）、端末制御部３８は、暖房燃焼を開始してからタイマにより計時された時間が、所定時間（例えば、１０分）経過した否かを判定する（ＳＴＥＰ５７）。
【０１７６】
１０分経過していないと判定された場合（ＳＴＥＰ５７で「ＮＯ」）、再びＳＴＥＰ５５が行われる。
【０１７７】
１０分経過していると判定された場合（ＳＴＥＰ５７で「ＹＥＳ」）、端末制御部３８は、高温側暖房用温液流路４２Ｈが高温側暖房端末機５Ｈに正常に接続されていない誤接続状態であると判定し、その旨をリモコンに表示させる（ＳＴＥＰ５８）。
【０１７８】
本実施形態では、高温側暖房用温液流路４２Ｈが高温側暖房端末機５Ｈに接続されている場合、燃焼式熱源機４１により温液を８０°Ｃに加熱し、低温暖房流路開閉弁４２ＬＶを閉弁状態とする（ＳＴＥＰ５４）と、８０°Ｃの温液が高温側暖房用温液流路４２Ｈを通って高温側暖房端末機５Ｈに送られる。これにより、温度センサ５ＨＳでの検出温度は８０°Ｃとなり、温度センサ５ＨＳでの検出温度（８０°Ｃ）が、暖房燃焼開始前端末記憶温度に１０°Ｃ加算した温度（４９°Ｃに１０°Ｃを加算した５９°Ｃ）以上であると判定され（ＳＴＥＰ５５で「ＹＥＳ」）、端末制御部３８は、高温側暖房用温液流路４２Ｈが高温側暖房端末機５Ｈに接続されている正常接続状態であると判定し、その旨をリモコンに表示させる（ＳＴＥＰ５６）。
【０１７９】
これに対して、図１０に示すように、高温側暖房用温液流路４２Ｈが低温側暖房端末機５Ｌに接続され、低温側暖房用温液流路４２Ｌが高温側暖房端末機５Ｈに接続された誤接続状態である場合には、燃焼式熱源機４１により温液を８０°Ｃに加熱し、低温暖房流路開閉弁４２ＬＶを閉弁状態とする（ＳＴＥＰ５４）と、高温側暖房端末機５Ｈには温液が送られない。このため、温度センサ５ＨＳでの検出温度は上昇しない（ＳＴＥＰ５５で「ＮＯ」）。この状態が１０分経過していると判定された場合（ＳＴＥＰ５７で「ＹＥＳ」）、高温側暖房用温液流路４２Ｈが高温側暖房端末機５Ｈに正常に接続されていない誤接続状態であると判定し、その旨をリモコンに表示させる（ＳＴＥＰ５８）。
【符号の説明】
【０１８０】
１…暖房装置、２…貯留タンクユニット、３…ヒートポンプユニット、４…燃焼式熱源機ユニット、５…暖房端末ユニット、５Ｈ…高温側暖房端末機、５Ｌ…低温側暖房端末機、１１…貯留タンク、１２ａ…蓄熱用温液循環往路、１２ｂ…蓄熱用温液循環復路１２ｂ、１３ａ…暖房用温液循環往路、１３ｂ…暖房用温液循環復路、１３ｂ１…高温暖房用温液循環復路、１３ｂ２…低温暖房用温液循環復路、５ＨＳ，５ＬＳ，１４ａ〜１４ｃ，１６，１９，２０，２２，２５〜２７…温度センサ、２３…分配弁、２４…バイパス路、３１…ヒートポンプ、３８…端末制御部、４８…開閉弁制御部、５１…暖房循環ポンプ、７２…タンク制御部
【図１】
2018004112.tif 000003
【図２】
2018004112.tif 000004
【図３】
2018004112.tif 000005
【図４】
2018004112.tif 000006
【図５】
2018004112.tif 000007
【図６】
2018004112.tif 000008
【図７】
2018004112.tif 000009
【図８】
2018004112.tif 000010
【図９】
2018004112.tif 000011
【図１０】
2018004112.tif 000012